(57)【特許請求の範囲】
【請求項１】
開閉可能な扉と本体間に取り付けられ、縦長の第一部材と第二部材とからなる着脱形の蝶番において、
該第一部材の基枠体が略コ字状断面を持ったチャンネル材形に形成され、該基枠体内の上部と下部に、軸受孔を設けた軸受部とガイド部を有するガイド付き軸受部材が、該軸受孔の軸心位置を１本の軸線上に一致させて固定され、該第二部材の取付板部における上部と下部の縁部に、各々巻付部にピンを挿入・固定した軸保持部が軸心位置を１本の軸線上に一致させて固定され、該ガイド付き軸受部材には、該軸保持部の該巻付部を、該軸受孔の軸線位置にガイドするガイド部が、該ガイド部を該巻付部に当ててガイドするように設けられ、該ガイド部は該軸受部材の一部を内側に斜めに切り起して該軸受部と一体に形成されていることを特徴とする蝶番。
【請求項２】
前記第二部材の前記ピンの端部に円周溝が設けられ、該ピンと前記ガイド付き軸受部材の軸受孔を嵌合した状態で、突出した該ピンの該円周溝に止めリングを嵌め込むことを特徴とする請求項１記載の蝶番。
【発明の詳細な説明】
【０００１】
【発明の属する技術分野】
本発明は、扉を本体に対し開閉自在に支持する着脱形（ピン挿入形）の蝶番に関する。
【０００２】
【従来の技術】
従来、例えばスロットマシンの扉を開閉自在に支持する蝶番として、固定部材と可動部材とからなり、固定部材の取付板部の縁部に軸受部が設けられ、可動部材の巻付部にピンが下方に突出して固定され、そのピンを固定部材側の軸受孔に挿入して組み付ける構造の着脱形の蝶番が知られている。この蝶番は、通常、ゲーム機の形状が大きいこともあって、本体と前扉間の上部と下部の２箇所に取り付けられる。
【０００３】
スロットマシンの扉の開閉を円滑にするためには、その本体と前扉間に装着される２個の蝶番の回転軸の軸心位置を正確に合わせて取り付ける必要がある。従って、上記のように２個の蝶番を本体と前扉間に取り付ける場合、本体側に２個の固定部材をその軸受部の軸心位置を合わせて固定すると共に、前扉側の対応位置に２個の可動部材をそのピンの軸心位置を正確に合わせて、固定しなければならず、蝶番の取付け作業が難しく煩雑で、多くの時間や工数を必要とする問題があった。
【０００４】
【発明が解決しようとする課題】
そこで、本発明者らは、特開平１０−２０１９２２号公報において、縦長の固定部材と可動部材とからなる蝶番であって、固定部材の取付板部における上部と下部の縁部に、各々軸受孔を持つ軸受部が軸心位置を１本の軸線上に一致させて設けられ、可動部材の取付板部における上部と下部の縁部に形成した巻付部に、各々ピンが軸心位置を１本の軸線上に一致させ且つ下方に突出して固定され、両ピンを固定部材の各軸受部に挿入して組み付けるようにした蝶番を提案した。
【０００５】
しかし、この蝶番は、縦長の固定部材の上部と下部に軸受部となる軸受孔を同一軸線上に設け、同様の縦長の可動部材の上部と下部にピンを同一軸線上に取り付けて構成されるため、固定部材をスロットマシンの本体に固定し、可動部材をその前扉に固定した状態で、前扉を本体に装着する、つまり蝶番を組み付ける際には、前扉を持ち上げながら上下に離れた１対のピンを同時に各々の軸受孔に嵌入させるように作業を行なう。このため、重い前扉を持って、可動部材の上部と下部のピンを、本体側の固定部材の上部と下部の軸受孔に、各々同時に挿入するように、上下のピンそれに対応した軸受孔とを位置決めして組み付ける作業は、難しく手間がかかるという問題があった。
【０００６】
本発明は、上記の点に鑑みてなされたもので、固定側と可動側の上部と下部に位置する軸受部とピンを簡単に嵌め合わせて組み付けることができる蝶番を提供することを目的とする。
【０００７】
【課題を解決するための手段】
上記目的を達成するために本発明の蝶番は、開閉可能な扉と本体間に取り付けられ、縦長の第一部材と第二部材とからなる着脱形の蝶番において、第一部材の基枠体が略コ字状断面を持ったチャンネル材形に形成され、基枠体内の上部と下部に、軸受孔を設けた軸受部とガイド部を有するガイド付き軸受部材が、軸受孔の軸心位置を１本の軸線上に一致させて固定され、第二部材の取付板部における上部と下部の縁部に、各々巻付部にピンを挿入・固定した軸保持部が軸心位置を１本の軸線上に一致させて固定され、ガイド付き軸受部材には、軸保持部の巻付部を、軸受孔の軸線位置にガイドするガイド部が、ガイド部を巻付部に当ててガイドするように設けられ、ガイド部は軸受部材の一部を内側に斜めに切り起して軸受部と一体に形成されていることを特徴とする。
ここで、第二部材のピンの端部に円周溝を設け、ピンとガイド付き軸受部材の軸受孔を嵌合した状態で、突出したピンの円周溝に止めリングを嵌め込み、抜けを防止するとよい。
【０００８】
ここで、ガイド付き軸受部材は、ガイド部材と一体に形成されると共に、略コ字状断面を持った基枠体内に固定することができる。また、第二部材側のピンの端部に円周溝を設け、ピンと軸受部材の軸受孔を嵌合した状態で、突出したピンの円周溝に止めリングを嵌め込み、抜けを防止するとよい。
【０００９】
【作用】
このように構成された蝶番は、第一部材を扉に可動部材として固定し、第二部材を本体に固定部材として固定するか、或はその逆に、第二部材を扉に可動部材として固定し、第一部材を本体に固定部材として固定して使用する。また、例えば、蝶番の第一部材を扉に可動部材として固定し、第二部材を本体に固定部材として固定した場合、第二部材の巻付部に設けたピンは上向きに固定される。逆に、蝶番の第二部材を扉に可動部材として固定し、第一部材を本体に固定部材として固定した場合、第二部材の巻付部に設けたピンは下向きに固定される。
【００１０】
例えば、蝶番の第一部材を扉に可動部材として固定し、第二部材を本体に固定部材として固定した場合、扉を持って可動側のガイド付き軸受部材の軸受孔を、固定側の軸保持部のピンに合わせようとする際、ガイド付き軸受部材に設けたガイド部が、軸保持部の巻付部に対し、軸受部材をその軸線位置に合わせるようにガイドし、軸受孔の軸線とピンの軸線を一致させる。その状態で可動側の軸受部材の位置を少し下げるだけで、固定側の軸保持部のピンを可動側のガイド付き軸受部材の軸受孔に容易に嵌入し、蝶番を組み付けることができる。
【００１１】
また、軸受部材は、ガイド部と一体に形成し、略コ字状断面を持った基枠体内に固定する構造としているから、充分な強度を確保しながら構造を簡単化することができ、さらにプレス加工のみで蝶番を簡単にかつ低コストで製作することができる。また、第二部材側のピンに円周溝を設け、そのピンと軸受部材を嵌合したとき、その円周溝にＥ形止め輪などの止めリングを嵌めるだけで、第一部材と第二部材の不用意な外れを防止することができる。
【００１２】
【発明の実施の形態】
以下、本発明の実施の形態を図面に基づいて説明する。図１は蝶番の可動部材１の正面図を示し、図２はその平面図と右側面図を示している。可動部材１は、帯状の鋼板を断面略コ字状に曲折してなる縦長の基枠体２を有し、その基枠体２の内側の上部と下部に、軸受孔３ｂ，４ｂとガイド部３ｃ，４ｃを有するガイド付き軸受部材３、４を、かしめ加工等により固定して構成される。
【００１３】
基枠体２は、左側面側を開口した断面略コ字状の長尺のチャンネル材形に形成され、その上部と下部の内側にガイド付き軸受部材３、４が固定される。このガイド付き軸受部材３、４は、図５〜図８に示すように、金属板の上部を直角に曲げて軸受部３ａ，４ａを形成し、中間部を切り起こすように斜めに曲げてガイド部３ｃ，４ｃを形成して構成される。この軸受部３ａ，４ａには軸受孔３ｂ，４ｂが形成され、その軸受孔３ｂ，４ｂの軸心位置は、ガイド部３ｃ，４ｃと基枠体２の壁部とによりガイドされた後述の軸保持部１３の軸心が、一致するように形成されている。このようなガイド付き軸受部材３，４は、基枠体２内の上部と下部の所定位置に、凹部と凸部のかしめ、リベット止め、溶接などにより固定される。ガイド付き軸受部材３，４は、各々全く同じ形状に形成され、一枚の金属板をプレス加工して少ない加工工数で簡単に形成できるため、製造コストの効果的な低減が可能である。
【００１４】
横断面をコ字状に形成された基枠体２の左側壁は、右側壁に比べ幅広に形成され、可動部材１をゲーム機の前扉２１に取り付けて使用した場合、軸受部と軸保持部をこの左側壁で覆って、ゲーム機本体との隙間から異物を挿入するなどの行為を不正防止すると共に、長尺の基枠体２の曲げ強度を高めている。基枠体２は、その背面を固定ねじによりゲーム機の前扉２１内に固定して取り付けられるが、前扉の縦寸法に対応した縦長に形成され、断面コ字状のチャンネル材に類似した形状に形成することにより、大きな曲げ強度を有し、前扉２１を補強することができる。
【００１５】
図５〜図８に示すように、ガイド付き軸受部材３、４は、上述のごとく金属板を簡単に曲げ加工して形成され、基枠体２内の上部と下部の所定箇所に固定される。ガイド付き軸受部材３、４には、その上部を直角に曲げて形成した軸受部３ａ，４ａに軸受孔３ｂ，４ｂが形成されるが、後述の固定部材１１側のピン１５、１６をその軸受孔３ｂ，４ｂに挿入し易くするために、その中間部にガイド部３ｃ，４ｃが設けられる。このガイド部３ｃ，４ｃは、軸受部３ａ，４ａの下方位置に設けられ、且つ、軸受部材３、４の平板基部の一部を内側に斜めに切り起こして形成される。ガイド部３ｃ，４ｃは基枠体２の右側壁との間で後述の、軸保持部１３，１４の軸心位置と軸受孔３ｂ，４ｂの軸線位置を合わせるように形成され、後述のピン１５、１６の巻付部１３ａ，１４ａを軸線位置にガイドするように作用する。
【００１６】
図３、図４に示すように、固定部材１１は、縦長で帯状の鋼板からなる取付板部１２と、その取付板部１２の側部に延設されたコ字状断面部１２ａとを基部とし、コ字状断面部１２ａの側部の上部と下部に、軸保持部１３、１４を延設して形成される。取付板部１２の適所に複数の取付孔が設けられる。軸保持部１３、１４は、先端に巻付部１３ａ，１４ａを前方に突出するように設け、その巻付部１３ａ，１４ａにピン１５、１６を各々上向きに嵌挿・固定している。
【００１７】
巻付部１３ａ，１４ａは筒状に成形され、内側に頭部付きのピン１５、１６をそこに圧入し或は締付けすることにより、ピン１５、１６を巻付部１３ａ，１４ａにその先端を上方に突出した状態で固定する。上下のピン１５、１６は、その軸が取付板部１２の長手方向に沿った１本の軸線上を通るように、軸心位置を合わせて取り付けられる。固定部材１１は取付板部１２に設けたコ字状断面部１２ａによって高い曲げ強度が確保され、上下のピン１５，１６の軸心位置のずれを防止している。
【００１８】
ピン１５、１６の先端（上端）は尖頭形状に形成され、上側のピン１５の上部に円周溝１５ａが形成され、この円周溝１５ａには、可動部材１と固定部材１１を嵌め合わせた状態で、Ｅ形止め輪などの止めリング７が嵌められる。また、上下のピン１５、１６は、上記可動部材１の軸受部材３、４の軸受孔３ｂ、４ｂに対応した位置つまり軸心位置を合わせた所定位置に取り付けられる。
【００１９】
このように構成された蝶番は、図１０〜図１３に示すように、その固定部材１１がゲーム機の本体（キャビネット）２０側に、取付板部１２の取付孔に取付ねじを挿入して締め付けることにより固定され、その可動部材１がゲーム機の前扉２１側の固定部材１１と対応した位置に、その基枠体２を取付ねじにより締め付けて取り付けられる。固定部材１１は、本体２０の開口部の縦辺の長さと略同じ長さに形成され、本体２０の内側縦辺の略全体に渡って取り付けられる。また、可動部材１は前扉２１の内側縦辺の長さと略同じ長さに形成され、前扉２１の内側縦辺の縁部に取り付けられる。
【００２０】
そして、前扉２１を開いた状態で、蝶番の可動部材１の上下の軸受部３ａ、４ａを固定部材１１の上下のピン１５、１６に嵌合して、前扉２１を本体２０に対し装着する。この際、前扉２１を持って先ず上下の軸受部材３、４を固定部材１１側の軸保持部１３、１４に合わせ、図９のように、軸受部材３、４内のガイド部３ｃ，４ｃを、固定部材側の軸保持部１３、１４の巻付部１３ａ，１４ａに当てるように、前扉２１を動かす。
【００２１】
このとき、上下のガイド部３ｃ，４ｃが上下の巻付部１３ａ，１４ａに当り、さらに前扉２１を押し込むように動かすと、基枠体２の右側壁にガイド部３ｃ，４ｃが当たり、ガイド部３ｃ，４ｃと基枠体２の壁によって、巻付部１３ａ，１４ａつまりピン１５、１６が軸受孔３ｂ，４ｂの軸線位置にガイドされ、到達する。従って、この状態で、図９のように、前扉２１の位置を少し下げれば、自動的にピン１５、１６が軸受孔３ｂ，４ｂ内に進入し、嵌め込まれる。この後、軸受部３ａ，４ａの上部に突出したピン１５，１６の円周溝１５ａ，１６ａに止めリング７が嵌められ、ピン１５、１６は、軸受部材３、４の軸受孔３ｂ，４ｂに脱着を阻止した状態となり、蝶番の可動部材１と固定部材１１の組付を完了する。なお、止めリング７は、上下両方のピン１５，１６に嵌めなくても、何れか一方のピンに嵌めれば、可動部材１の抜けを防止することができる。
【００２２】
このように、この蝶番の固定部材１１と可動部材１の組み付け作業は、従来のように、上部と下部に別れた２個の蝶番をその軸心を合わせるように、両者の位置を目視しながら、可動部材の位置を動かしてピンと軸受孔の位置を合わせすることなく、ガイド部３ｃ，４ｃがピン１５、１６の巻付部１３ａ，１４ａに作用してピンの軸線位置上に軸受孔の軸線位置を合わせるため、非常に簡単に且つ短時間でピン１５、１６を軸受孔３ｂ，４ｂにはめ込むことができ、蝶番の組み付けを迅速に完了することができる。
【００２３】
特に、巻付部１３ａ，１４ａは、ピンと比べて外径が太く、ガイド部３ｃ，４ｃをそこに当て易いため、ピンを直接ガイドする場合より容易にガイドして軸線を合わせることができる。また、ガイド付き軸受部材１３，１４はガイド部を含めて構造が簡単で、プレス加工などにより簡単に製作することができ、その軸受部材を基枠体の所定位置にかしめ加工などで簡単に固定し、低コストで蝶番を製造することができる。
【００２４】
なお、本発明の蝶番は、上記実施形態に限定されるものではなく、以下のような態様でも実施することができる。
【００２５】
▲１▼  上記では可動部材１側に軸受孔３ｂ，４ｂを有する軸受部材３、４を設け、固定部材１１側にピン１５、１６を有する軸保持部１３、１４を設けたが、反対に、固定部材側に軸受孔を有する軸受部材を固定し、可動部材側にピンを有する軸保持部を固定してもよく、その場合、可動部材側のピンは下向きに取り付けられる。
【００２６】
▲２▼  上記では固定部材１１のピン１５，１６を保持する軸保持部１３，１４の巻付部１３ａ，１４ａは、取付板部１２から延設された部分をそのまま円筒形に巻いて一体に形成したが、巻付部を含む軸保持部を別個に形成し、所定の位置にかしめや溶接で固定することもできる。この場合、軸保持部は必要な強度を持つように板厚の厚い金属板で成形し、取付板部は比較的薄い金属板で成形し、軸保持部を任意の位置に固定すればよいから、全体寸法やピンの位置寸法の異なる蝶番を、共通部品を使用して、より低コストで製造することができる。
【００２７】
【発明の効果】
以上のように、本発明の蝶番によれば、軸受部材に一体的にガイド部を設けてガイド付き軸受部材とし、そのガイド部によって、軸保持部のピンの巻付部の位置を軸受部軸受孔の軸線位置に合わせるようにガイドするから、上部と下部に分かれてピンと軸受孔を設けた蝶番であって、重量の重い扉に可動部材が取り付けられる場合であっても、手間なく簡単な作業で蝶番の可動部材と固定部材を容易に組み付けることができる。また、ガイド付き軸受部材はプレス加工などで一体に形成し、断面コ字状の基枠体内にかしめなどで固定することができるから、蝶番を低コストで製造することができる。
【図面の簡単な説明】
【図１】本発明の蝶番の一実施形態を示し、蝶番の可動部材１の正面図である。
【図２】（ａ）は可動部材１の平面図、（ｂ）は右側面図である。
【図３】（ａ）は固定部材の平面図、（ｂ）はその左側面図である。
【図４】固定部材１１の正面図である。
【図５】可動部材１の部分正面図である。
【図６】図５のVI-VI 拡大断面図である。
【図７】可動部材１の部分右側面図である。
【図８】図７のVIII-VIII 拡大断面図である。
【図９】可動部材と固定部材の組み付け時の部分拡大正面図である。
【図１０】前扉２１に取り付けた状態の可動部材の拡大部分斜視図である。
【図１１】本体２０に取り付けた状態の固定部材の拡大部分斜視図である。
【図１２】前扉２１を閉じた状態の断面図である。
【図１３】前扉２１を開いた状態の断面図である。
【符号の説明】
１−可動部材
２−基枠体
３、４−ガイド付き軸受部材
３ａ，４ａ−軸受部
３ｂ，４ｂ−軸受孔
３ｃ，４ｃ−ガイド部
１１−固定部材
１２−取付板部
１３、１４−軸保持部
１３ａ，１４ａ−巻付部
１５，１６−ピン
【図１】
0003752665.tif 000002
【図２】
0003752665.tif 000003
【図３】
0003752665.tif 000004
【図４】
0003752665.tif 000005
【図５】
0003752665.tif 000006
【図６】
0003752665.tif 000007
【図７】
0003752665.tif 000008
【図８】
0003752665.tif 000009
【図９】
0003752665.tif 000010
【図１０】
0003752665.tif 000011
【図１１】
0003752665.tif 000012
【図１２】
0003752665.tif 000013
【図１３】
0003752665.tif 000014